(57)【要約】【課題】  ユーザが映像の閲覧を効果的に行うことのできる映像表示機能を提供する。【解決手段】  複数の映像を画面上に表示する際の前記画面上における前記複数の映像の配置に関する情報を少なくとも１パターン設定し、前記設定された配置に関する情報の一覧を表示し、前記表示された配置に関する情報の一覧の中から前記配置に関する情報を少なくとも１パターン選択し、前記選択された配置に関する情報に基づき前記画面上に映像の再生を行うように構成される。【選択図】  図１０
2008017529.tif 000002
【特許請求の範囲】
【請求項１】
ネットワークを介してクライアント端末に対して映像の配信を行う映像配信装置であって、
複数のユーザアカウントを管理すると共にユーザアカウントそれぞれのユーザ情報を保持するユーザ情報保持手段と、
前記ユーザ情報保持手段により保持されているユーザ情報に基づいてクライアント端末でログインしているユーザアカウントが前回アクセスした時刻を取得する前回アクセス時刻取得手段と、
前記取得した前回アクセスした時刻以降にアラーム録画された映像が存在するか否かに関する情報を前記クライアント端末に対して送信するアラーム映像存在情報送信手段と、
を備えることを特徴とする映像配信装置。
【発明の詳細な説明】
【技術分野】
【０００１】
本発明は、映像配信装置に関し、特に、ユーザが映像の閲覧を効果的に行うことのできる映像配信装置に関する。
【背景技術】
【０００２】
ネットワーク通信の普及により、カメラで撮影された画像（動画像、静止画像、静止画像が時系列に連続した間欠的な準動画像等）を、遠隔地のユーザがパーソナルコンピュータやモバイルツール等のクライアント装置で画像を表示させることができるシステムが実施されている。
【０００３】
このようなシステムは、種々な用途に利用されており、例えば、画像により、侵入者や管理対象物の異常を監視する監視システムとして利用されている(例えば、特許文献１参
照。)。
【特許文献１】特開２００３−２７４３８３号公報
【発明の開示】
【発明が解決しようとする課題】
【０００４】
上記のようなシステムの普及に伴い、ユーザがクライアント装置において映像の閲覧を行う際には、例えば、複数のカメラの画像を効果的に表示できるような、利便性の高いインタフェースが望まれている。
【０００５】
本発明は、このような従来の事情に鑑み為されたもので、ユーザが映像の閲覧を効果的に行うことのできる映像配信装置を提供することを目的とする。
【課題を解決するための手段】
【０００６】
上記目的を達成するため、本発明に係る映像配信装置は、ネットワークを介してクライアント端末に対して映像の配信を行う映像配信装置であって、前記クライアント端末からの通知に基づいて映像表示領域上における複数の映像の配置に関する映像配置情報を登録する映像配置情報登録手段と、前記映像配置情報登録手段により登録された映像配置情報の一覧を前記クライアント端末に送信する映像配置情報一覧送信手段と、前記映像配置情報の一覧の中から前記クライアント端末により選択された映像配置情報に基づく前記クライアント端末からの映像配信要求に基づいて前記クライアント端末に対して映像の配信を行う映像配信手段と、を備える。
【０００７】
また、上記目的を達成するため、本発明に係る映像配信装置において、更に、前記クライアント端末に対して前記映像配置情報を設定するための映像配置情報設定画面を送信する映像配置情報設定画面送信手段を備える。
【０００８】
また、上記目的を達成するため、本発明に係る映像配信装置において、前記映像配置情報設定画面は、映像表示領域の各位置に表示する映像の識別番号を設定する機能、及び、前記映像配置情報の識別番号又は識別名称の少なくともいずれか１つを設定する機能を備える。
【０００９】
また、上記目的を達成するため、本発明に係る映像配信装置は、ネットワークを介してクライアント端末に対して映像の配信を行う映像配信装置であって、複数のユーザアカウントを管理すると共にユーザアカウントそれぞれのユーザ情報を保持するユーザ情報保持手段と、前記ユーザ情報保持手段により保持されているユーザ情報に基づいてクライアン
ト端末でログインしているユーザアカウントが前回アクセスした時刻を取得する前回アクセス時刻取得手段と、前記取得した前回アクセスした時刻以降にアラーム録画された映像が存在するか否かに関する情報を前記クライアント端末に対して送信するアラーム映像存在情報送信手段と、を備える。
【００１０】
また、上記目的を達成するため、本発明に係る映像表示方法は、複数の映像を画面上に表示する際の前記画面上における前記複数の映像の配置に関する情報を少なくとも１パターン設定するステップと、前記設定された配置に関する情報の一覧を表示するステップと、前記表示された配置に関する情報の一覧の中から前記配置に関する情報を少なくとも１パターン選択するステップと、前記選択された配置に関する情報に基づき前記画面上に映像の再生を行うステップとを備えることを備えるようになされる。
【００１１】
なお、本明細書では、「映像表示」という語を用いて説明を行うが、例えば、「映像再生」や「映像閲覧」といった語についても、同様な用語であり、本発明に包含される。また、本明細書では、「映像」という語を用いて説明を行うが、例えば、「画像」といった語についても、同様な用語であり、本発明に包含される。
【発明の効果】
【００１２】
以上説明したように、本発明に係る映像配信装置によると、ユーザが映像の閲覧を効果的に行うことができる。
【発明を実施するための最良の形態】
【００１３】
本発明に係る一実施例を図面を参照して説明する。
図１は、本発明による映像表示方法が適用される映像蓄積配信システムの全体構成の一実施例を示す。
【００１４】
ここに示した映像蓄積配信システムは、画像（映像とも言い、音声を含む場合もある）データを蓄積するためのランダムアクセス可能な記録装置（以下、ディスク装置と言う）３を備えた画像蓄積配信サーバ１と、ネットワーク４を介して上記画像蓄積配信サーバ１に接続された複数のＷｅｂカメラ５（５−１〜５−ｎ）と、複数のクライアント端末６（６−１〜６−ｍ）と、からなる。Ｗｅｂカメラ５−１〜５−ｎは、それぞれ固有のチャネル番号を有し、例えば、５−１はチャネル１（ｃｈ１）用、５−２はチャネル２（ｃｈ２）用、‥‥‥、５−ｎはチャネルｎ（ｃｈｎ）用のＷｅｂカメラとする。ここで、ｎ、ｍは自然数であり、ｎ＝ｍである必要はない。
【００１５】
Ｗｅｂカメラ５−１〜５−ｎによる撮影映像の各フレームの画像データは、例えば、ＪＰＥＧ等の画像圧縮方式で圧縮され、ＩＰパケット形式で画像蓄積配信サーバ１に送信される。この場合、圧縮された画像データは、フレーム毎にデータ量の異なる可変長データとなる。画像蓄積配信サーバ１は、Ｗｅｂカメラ５−１〜５−ｎからネットワークを介して受信した各パケットから圧縮画像データ（以下、単に画像データと言う）を抽出し、ディスク装置３に予め確保されたチャネル別（サイト別）の記憶領域３０（３０−１〜３０−ｎ）に記憶する。
【００１６】
なお、上記画像蓄積配信システムにおいては、画像蓄積配信サーバ１とディスク装置３等の機能が一体化された装置を用いることも可能である。
各クライアント端末６は、画像蓄積配信サーバ１に対して、例えば、チャネル番号とフレーム番号を指定して画像データの配信を要求する。画像蓄積配信サーバ１は、クライアント端末からの要求に応じて、ディスク装置３から読出した指定チャネル番号／フレーム番号の画像データ、またはキャッシュメモリに蓄積中の最新の画像データをＩＰパケット形式で要求元のクライアント端末に配信サービスする。本発明の映像表示方法は、上記画
像蓄積配信システムにおけるクライアント端末６が画像配信要求等を行う際に適用される。
【００１７】
図２は、上述した画像蓄積配信サーバ１の一実施例を示すブロック構成図である。
画像蓄積配信サーバ１は、プロセッサ１０と、プロセッサ１０が実行する各種のプログラムや後述するクライアント端末６用のリモート監視画面等を格納したプログラム格納メモリ１１と、画像データのチャネル別の記録とクライアントへの配信サービスに必要な各種テーブルが形成されるテーブル格納メモリ１２と、送受信画像フレームのバッファ領域および書込み／読出し画像データのキャッシュ領域として利用されるデータ格納メモリ１３からなる。また、画像蓄積配信サーバ１には、ネットワーク４に接続するためのネットワークインタフェース１４と、ディスク装置３の接続インタフェースとなるディスクインタフェース１５が備えられている。
【００１８】
次に、本発明の映像表示方法について説明する。
図３は、本発明の一実施例に係るクライアント端末６の端末画面に出力されるリモート監視画面を示す。図３に示した監視画面は、映像表示部３１は、映像操作部３２、マルチ操作部３３、カメラ情報表示部３４、情報操作部３５、の５つの機能部位から構成される。以下、それらについて詳細に説明する。なお、クライアント端末のリモート監視画面は、例えば、ＷＥＢブラウザ上の監視ページとして生成される。各クライアント端末６は、例えば、ＷＥＢブラウザを起動した後、画像蓄積配信サーバ１に監視ページを要求する。監視ページ要求を受信した画像蓄積配信サーバ１は、要求されたＷＥＢページをプログラム格納メモリ１１から読み出して、クライアント端末６に送信する。クライアント端末６は、受信した監視ページをＷＥＢブラウザ上に表示する。
【００１９】
ここで、各クライアント端末６が画像蓄積配信サーバ１へ接続するには認証が必要となる。図４は、本発明の一実施例に係るログイン画面である。正しいログインユーザ名、パスワードが入力されて画像蓄積配信サーバ１にログインすると、クライアント端末は画像蓄積配信サーバ１に接続される。また、ログイン時に使用したユーザ名により、後述する手動録画権限の有無が判断される。例えば、管理者権限を持つユーザは手動録画が行え、一般ユーザは手動録画を行うことができない。したがって、手動録画機能を使用したい場合は、手動録画権限を持っているユーザ名を使用してログインすることが必要となる。
【００２０】
次に、映像表示部３１について説明する。
映像表示部３１は、画像蓄積配信サーバ１に蓄積されている映像やＷｅｂカメラ５のライブ映像を表示する。また、映像表示部３１は、図５（Ａ）に示すように表示領域を単一にして、例えばＶＧＡ（Video Graphics Array）サイズの映像を表示する１画面表示と、図５（Ｂ）に示すように表示領域を４分割して、例えばＱＶＧＡ（Quarter VGA）サイズ
の映像を４つ同時に表示する４画面表示を切り替えて使用することが可能である。４画面表示時には操作対象画面をマウス操作で選択することが可能で、選択された画面は枠で囲われるため、操作者（ユーザ）は容易にどの画面が選択されているかを認識することができる。図５（Ｂ）は、太枠で囲われている４分割の左上の画面が選択されている態様を示している。
【００２１】
本発明の一実施例に係る映像表示部３１の詳細を図５Ｃを用いて説明する。映像表示エリア５１は、画像蓄積配信サーバ１に蓄積されている映像、またはカメラのライブ映像を表示するためのエリアである。カメラ番号表示エリア５２は、現在表示しているＷｅｂカメラ５のカメラ番号を表示するエリアである。映像ステータス表示エリア５３は、映像ステータス（Ｌｉｖｅ、再生（順、逆、早送、巻戻）、停止等）を表示するエリアである。映像時間表示エリア５４は、現在表示している映像の映像時間、例えば、撮影時刻を表示するエリアである。カメラ名称表示エリア５５は、現在表示しているＷｅｂカメラ５の登
録されている名称を表示するエリアである。このＷｅｂカメラ５の登録名称は、画像蓄積配信サーバ１のテーブル格納メモリ１２から読み出されて表示される。映像復号化設定ボタン５６は、暗号化映像を復号化するための設定画面呼び出しボタンである。手動録画開始／停止ボタン５７は、現在表示しているＷｅｂカメラ５に対して録画を開始又は停止するためのボタンである。
【００２２】
なお、この手動録画は管理者権限を持つユーザしか行えないため、一般ユーザ権限でログインしたクライアント端末６の監視画面の映像表示部３１には、手動録画開始／停止ボタン５７は表示されない。これにより、画像蓄積配信サーバ１にＷｅｂカメラ５の映像を不特定多数の者が勝手に記録し得る事態を抑制することができ、ディスク装置３の記憶容量や記憶内容等の適切な管理が行える。
【００２３】
図６は、映像復号化設定ボタン５６をマウス等の入力機器により押下した際に表示される復号化設定画面である。正しいパスワードが入力されれば、操作者は暗号化映像を復号化するか、しないかの設定を行うことができる。
【００２４】
次に、映像操作部３２について説明する。
図７は、本発明の一実施例に係る映像操作部を表わす画面構成図である。映像操作部３２では、映像表示部３１で表示している映像のステータスに対して操作を行う。１／４画面切替ボタン７１（左側部が１画面切り換えボタンと、右側部が４画面切り換えボタン）は、映像表示部３１の表示形式を１→４画面または４→１画面に切り替えるためのボタンである。各ボタンをマウスでクリックすることにより切り換えが事項される。図７においては、１画面切り換えボタンが選択されている状態を示し、映像表示部３１は１画面構成となる。例えば、監視画面の起動時のデフォルト表示は１画面表示で、登録カメラ番号の最も若いもののＬｉｖｅ映像を表示する。最初の４画面表示への切替時の表示は後述する４画面登録パターンの最も若いもののＬｉｖｅ映像を表示する。以降は１／４画面表示切替ごとの前回の表示カメラ番号を保持し、Ｗｅｂカメラ５のＬｉｖｅ映像表示を行う。
【００２５】
映像ステータス操作エリア７２は、映像表示部３１で表示している映像のステータスを操作する。映像表示部３１が４画面表示状態の時には４画面のうち現在選択されている画面への操作になる。操作可能なステータスは、再生（順、逆方向）、早送り、巻き戻し、先頭・終端への移動、一時停止である。早送り、巻戻しでは再生速度をコンボボックスの２／５／１０／３０／６０／１８０／６００／１２００倍速から指定可能である。また、操作者は、コマ送り、コマ戻しによる１フレーム単位で映像を操作することも可能である。
【００２６】
Ｌｉｖｅ映像ボタン７３は、映像表示部３１で表示している映像のステータスをＬｉｖｅ映像に設定する機能を有するボタンである。映像表示部３１が４画面表示状態の時には、４画面のうち現在選択されている画面が操作可能である。
【００２７】
同期ＯＮ／ＯＦＦボタン７４は、映像表示部３１の同期ステータスのＯＮ／ＯＦＦを設定する。映像表示部が４画面表示状態のときのみ、操作者は同期ステータスをＯＮに設定できる。同期ステータスがＯＮのときに映像表示部が１画面表示状態になった場合は、自動的に同期ステータスはＯＦＦに設定される。ここで、「同期」機能とは、現在選択されている画面に表示されている映像時間を元に作成された時間軸を操作することによって、４画面の映像表示が行われる機能、つまり、１画面に対する操作で４画面全ての映像が操作できる機能のことをいう。
【００２８】
次に、マルチ操作部３３について説明する。マルチ操作部３３は、映像表示部３１への高度な操作を行うための部位である。
まず、マルチ操作部３３のカメラ選択機能について、図８を用いて説明する。画像蓄積配信サーバ１に登録されているカメラ情報は、監視画面の起動時にクライアント端末６にロードされ、当該ロードされた情報に従って、映像表示部３１へ表示するＷｅｂカメラ５の選択を行うためのカメラ選択ボタン（図８に示される数字を囲った四角いボタン）と、カメラ単位での録画状態（例えば、アラームモード、ノーマルモード等）と、がマルチ操作部３３上に表示される。ここで、アラームモードとは、例えば、外部センサの検知を合図に記録が開始される録画モードのこといい、ノーマルモードとは、例えば、手動録画やスケジュール予約に従った録画が行われる録画モードのことをいう。画像蓄積配信サーバ１には、任意の台数のカメラ番号が登録可能であり、図８に示す例では、１〜１６の範囲で最大１６台までのカメラ番号が登録可能である。また、例えば、１台のＷｅｂカメラ５でノーマルモード、アラームモードの２系統の映像を入力することを設定することや、ノーマルモードまたはアラームモードのどちらか１系統の映像を入力することを設定することが可能である。録画状態の表示はノーマルモード、アラームモードそれぞれ表示可能であり、ノーマルモードの録画状態表示では、スケジュール録画中と手動録画中に点灯し（図８では、「ＲＥＣ」の右に表示されている丸が点灯）、アラームモードの録画状態表示では、アラーム録画中のみ点灯する（図８では、「Ａｌｍ」の右に表示されている丸が点灯）。なお、録画状態の表示は、視覚や聴覚によって操作者に認識されるような態様であれば、点灯以外の態様であってもよい。
【００２９】
図２２を参照しながら、図８の録画状態を表示する処理について説明する。映像表示画面のメイン画面の録画状態を表示する処理は、クライアント端末６が映像表示画面のメイン画面を表示している間、定期的（例えば、１秒）に開始される(ＳＴＥＰ２２０１)。
【００３０】
次に、クライアント端末６は、画像蓄積配信サーバ１に録画状態を表示するために必要なデータを要求する（ＳＴＥＰ２２０２）。画像蓄積配信サーバ１は、当該要求をネットワークインタフェース１４を介し受け取ると（ＳＴＥＰ２２０３）、画像蓄積配信サーバ１のプロセッサ１０は各カメラの録画の状態を知るためにカウンタiを0にする。(ＳＴＥ
Ｐ２２０４)。
【００３１】
次に、画像蓄積配信サーバ１は、ｉ番目のカメラが映像を録画する処理を起動しているか否かを確認し、録画している場合は"１"、録画してない場合は"０"など録画状態データをテーブル格納メモリ１２に記録する（ＳＴＥＰ２２０５）。そして、画像蓄積配信サーバ１はカウンタiの値を1つ増やす（ＳＴＥＰ２２０６）。画像蓄積配信サーバ１は、カウンタｉの値が設定された最大値になるまで上記動作を繰り返し、全カメラの録画状態データをテーブル格納メモリ１２に記録する（ＳＴＥＰ２２０５−２２０７）。全カメラの録画状態データが記録された後は、画像蓄積配信サーバ１は、当該録画状態データが付加された返信データを作成し（ＳＴＥＰ２２０８）、クライアント端末６へ返信データを送信する（ＳＴＥＰ２２０９）。
【００３２】
クライアント端末６は、返信データを受信した（ＳＴＥＰ２２１０）後、各カメラの録画状態データを表示するためのカウンタｊを０にする（ＳＴＥＰ２２１１）。
クライアント端末６は、録画状態データを取得して、ｊ番目のカメラがノーマルモードの録画をしているか否かを判定する（ＳＴＥＰ２２１２）。もし、ノーマル録画状態であると判定されれば、赤色の丸等を用いて映像表示画面上にその旨を表示する（ＳＴＥＰ２２１３−２２１４）。なお、図２２に図示していないが、クライアント端末６は、ＳＴＥＰ２２１３においてノーマルモードの録画がされていないと判定したときには、その判定結果を表示してもよい。
【００３３】
クライアント端末６は、録画状態データを取得して、ｊ番目のカメラがアラームモードの録画をしているか否かを判定し（ＳＴＥＰ２２１５）、アラームモードの録画状態であ
ると判定されれば、橙色の丸等を用いて映像表示画面上にその旨を表示する（ＳＴＥＰ２２１６−２２１７）。なお、図２２に図示していないが、クライアント端末６は、ＳＴＥＰ２２１６においてアラームモードの録画がされていないと判定したときには、その判定結果を表示してもよい。
【００３４】
クライアント端末６は、カウンタjの値を1つ増やす（ＳＴＥＰ２２１８）。クライアント端末６は、カウンタｊの値が設定された最大値になるまで上記動作を繰り返し、全カメラの録画状態を表示する（ＳＴＥＰ２２１２−２２１９）。
【００３５】
次に、マルチ操作部３３の４画面パターン選択機能について、図９を用いて説明する。後述する登録画面を用いて画像蓄積配信サーバ１に登録されている４画面パターンは、監視画面の起動時にクライアント端末６にロードされ、クライアント端末６は、図９に示すように、映像表示部３１が４画面表示状態のときに４画面分一括にカメラ選択を行うためのボタン（４画面パターン選択ボタン）と、パターンごとに登録可能なパターン名称と、を表示する。操作者によって各４画面パターン選択ボタンがマウス等で押下されて選択することで、映像表示部３１に選択内容が反映される。なお、設定映像表示部３１が１画面表示状態の時には、クライアント端末６は自動的に４画面表示に切り替えて表示する。図９の画面例では、４画面パターン選択ボタンを最大８パターン表示することができる。
【００３６】
図１０は、本発明の一実施例に係る４画面パターンの登録画面である。操作者は、この画面を用いて、各パターンの内容の設定（左上、右上、左下、右下の各画面に表示するＷｅｂカメラの番号の選択や、パターン番号の選択や、パターン名の付与や、マルチ操作部３３における当該パターン選択ボタンの表示の有無等）を行い、画像蓄積配信サーバ１に登録することができる。ここで、図１０で示したように設定した場合は、マルチ操作画面３３では、図９で示した通り表示される。
【００３７】
以下に、上述した４画面パターンを設定する処理を図２３を用いて説明する。
クライアント端末６は、４画面パターンを設定する画面を呼び出すリンクが選択されたときに処理を開始する（ＳＴＥＰ２３０１）。
【００３８】
クライアント端末６は、画像蓄積配信サーバ１に4画面パターン設定画面を要求する（
ＳＴＥＰ２３０２）。画像蓄積配信サーバ１は当該要求を受信すると（ＳＴＥＰ２３０３）、テーブル格納メモリから、４画面パターンの設定に関するデータを取得する（ＳＴＥＰ２３０４）。
【００３９】
画像蓄積配信サーバ１は、そのデータを元に４画面パターン設定画面を生成し（ＳＴＥＰ２３０５）、クライアント端末６へ送信する（ＳＴＥＰ２３０６）。クライアント端末６は、受信した画面を表示する（ＳＴＥＰ２３０７，２３０８）。
【００４０】
操作者によって４画面パターンを設定して設定ボタンが押下されると（ＳＴＥＰ２３０９）、クライアント端末６は、設定する4画面パターンのデータを作成し（ＳＴＥＰ２３
１０）、画像蓄積配信サーバへ送信する（ＳＴＥＰ２３１１，２３１２）。
【００４１】
画像蓄積配信サーバ１は、受信した４画面パターンのデータの内容を、画像蓄積配信サーバのテーブル格納メモリにある４画面パターン設定データ領域に記述する（ＳＴＥＰ２３１３）。なお、画像蓄積配信サーバ１は、クライアント端末６の認証を行い、ユーザ毎に４画面パターンの設定を行えるようにしてもよい。この場合、画像蓄積配信サーバは、テーブル格納メモリにユーザ毎の４画面パターン設定データを保持することとなる。
【００４２】
以下に、登録４画面パターンデータを取得する処理を図２４を用いて説明する。
クライアント端末６の映像表示画面が表示される時に処理が開始される。（ＳＴＥＰ２４０１）。まず、クライアント端末６は、画像蓄積配信サーバ１に登録されている４画面パターンデータを要求する（ＳＴＥＰ２４０２）。
【００４３】
画像蓄積配信サーバ１は、その要求をネットワークインタフェース１４を介し受け取ると（ＳＴＥＰ２４０３）、テーブル格納メモリにある４画面パターン設定データから、登録されている４画面パターンデータを読み込む（ＳＴＥＰ２４０４）。
【００４４】
次に、画像蓄積配信サーバ１は、読み出した登録４画面パターンデータに基づき、クライアントへの返信データを作成し（ＳＴＥＰ２４０５）、クライアント端末６へ返信する（ＳＴＥＰ２４０６）。
【００４５】
クライアント端末６は、返信されてきた登録４画面パターンデータを受信する（ＳＴＥＰ２４０７）。そして、クライアント端末６の４画面パターンのタグが押下されると、クライアント端末６は４画面パターン選択画面を表示する処理を開始する（ＳＴＥＰ２５０１）。
【００４６】
画像蓄積配信サーバ１から受信した登録４画面パターンデータに基づきクライアント端末６は４画面パターン選択画面（図９）を表示する（ＳＴＥＰ２５０２）。
クライアント端末６は、いずれの４画面パターンが選択されたかを判定する（ＳＴＥＰ２５０３）。いずれかの４画面パターンが選択された場合には、クライアント端末６は選択された４画面パターンに基づき４画面パターン表示を開始する。
【００４７】
以下に、４画面パターンを表示する処理を図２６を用いて説明する。
当該処理は、４画面パターン選択画面（図９）の中からいずれかの４画面パターンを選択したとき、またはクライアント端末６で４画面選択をしたとき（４画面切替ボタン７１が押下されたとき）に開始される（ＳＴＥＰ２６０１）。なお、４画面切替ボタン７１が押下されたときは、クライアント端末６で前回使用した４画面パターンが選択されるか、或いは、画像蓄積配信サーバに登録されている４画面パターンのうち一番若いパターン番号の４画面パターンが選択される。
【００４８】
まず、クライアント端末６は、左上側の画面をターゲットとして処理を始める（ＳＴＥＰ２６０２）。クライアント端末６は、４画面パターンの左上側のカメラ番号を取得し（ＳＴＥＰ２６０３）、そのカメラ番号の映像取得を画像蓄積配信サーバ１に対して指示する（ＳＴＥＰ２６０４）。
【００４９】
画像蓄積配信サーバ１は、そのカメラ番号の映像データをデータ格納メモリ１３から取得（録画映像の再生の場合はディスクインタフェース１５を介しディスク３から取得）し（ＳＴＥＰ２６０５，２６０６）、クライアント端末６へ返信する（ＳＴＥＰ２６０７）。
【００５０】
クライアント端末６は、返信されてきた映像データを画面に表示するメモリの左上部に書き込み、クライアント端末６の画面に表示する（ＳＴＥＰ２６０８−２６１０）。クライアント端末６は、映像表示部の左上側の表示更新が済むと続いて右上側、右下側、左下側の表示更新を行う（ＳＴＥＰ２６１２−２６１７）。なお、その間に操作者によって1
画面表示が選択された場合などには（ＳＴＥＰ２６１１でＹＥＳ）、クライアント端末６は、４画面パターン表示処理を終了する（ＳＴＥＰ２６１８）。
【００５１】
次に、マルチ操作部３３の自動スキャン（カメラ切り換え）機能について、図１１を用いて説明する。自動スキャンは、映像表示部３１が１画面表示状態時に単位時間毎に自動
的にカメラ選択が切り替わりそれぞれのＷｅｂカメラ５のＬｉｖｅ映像を表示する１画面自動スキャン機能と、映像表示部３１が４画面表示時に単位時間毎に自動的に４画面パターンが切り替わりそれぞれのパターンに登録されている４つのＷｅｂカメラ５のＬｉｖｅ映像を表示する４画面自動スキャン機能とがある。
【００５２】
操作者は、自動スキャン画面ではまず１画面自動スキャン／４画面自動スキャン切り替えチェックボタンを用いて使用する自動スキャン機能を選択する。操作者は、図１１の左端に示されている選択ボタンの中の「１画面時」ボタンをマウスでクリックする、或いは、「４画面時」ボタンをマウスでクリックすることにより、１画面自動スキャン或いは４画面自動スキャン機能を選択することが可能である。図１１（Ａ）及び図１１（Ｂ）は、１画面自動スキャン機能が選択されている状態を表わし、図１１（Ｃ）は、４画面自動スキャン機能が選択されている状態を表わしている。
【００５３】
クライアント端末６は、１画面自動スキャン機能時は自動スキャンに用いるＷｅｂカメラ５を選択するためのチェックボタン（カメラ番号が併せて表示される）、カメラ選択切替時間を選択するコンボボックス、スキャン開始／停止ボタンを表示する。選択可能なカメラは画像蓄積配信サーバ１に登録されているＷｅｂカメラで、選択可能な単位時間は例えば５／１０／１５／２０／３０秒である。映像表示部が４画面表示状態時にスキャン開始を行うと自動的に１画面表示状態に切り替わる。図１１（Ａ）は、カメラ番号１〜１０のチェックボタンが表示されている状態で、図１１（Ｂ）は、そのうち、カメラ番号１、カメラ番号３、カメラ番号５のＷｅｂカメラ５が自動スキャンに用いられるＷｅｂカメラ５として設定されている状態を示している。
【００５４】
なお、図１１（Ｂ）で示される状態は、例えば、図１２（Ａ）に示すテーブルとして、画像蓄積配信サーバ１のテーブル格納メモリ１２に記憶されている。また、テーブル格納メモリ１２には、例えば、図１２（Ｂ）に示す各カメラ番号のＩＰアドレスを管理するテーブルも記憶されており、これらの内容に従い、自動スキャンが実行される。
【００５５】
クライアント端末６は、４画面自動スキャン機能時は自動スキャンに用いる４画面パターンを選択するためのチェックボタン（パターン番号が併せて表示される）、パターン選択切替時間を選択するコンボボックス、スキャン開始／停止ボタンを表示する。選択可能な４画面パターンは画像蓄積配信サーバ１に登録されているパターンである。映像表示部３１は、１画面表示状態時にスキャンが開始されると、自動的に４画面表示状態に切り替える。図１１（Ｃ）は、４画面パターンのパターン番号１〜８のチェックボタンが表示されている状態を示している。図１１（Ｃ）においては、パターン番号が明示されたチェックボタンを表示させているが、表示態様はこれに限られず、例えば、図９で示した４画面パターン選択ボタンのように、４分割画面の左上側、右上側、左下側、右下側に表示するＷｅｂカメラ５のカメラ番号を明示するような態様を用いることも可能である。
【００５６】
自動スキャン実行中に映像操作、他画面への移動が行われた場合には、クライアント端末６はスキャンを停止する。自動スキャン停止ボタンによる停止時、他ボタン押下による停止時の映像表示部３１のステータスは、最後に表示していたＷｅｂカメラ５または４画面パターンのＬｉｖｅ映像表示になる。
【００５７】
以下に、自動スキャンの処理を図２７を用いて説明する。
自動スキャン処理は、クライアント端末６の自動スキャンを行うボタンが押下された時に開始する（ＳＴＥＰ２７０１）。
【００５８】
まず、選択されたスキャン処理が1画面のスキャンか4画面のスキャンかが判定される（ＳＴＥＰ２７０２）。４画面のスキャンが選択された場合については後述する。
１画面のスキャンが選択された場合、クライアント端末６は、スキャンするカメラの中から最初に選択されているカメラ番号を取得し、そのカメラ番号の映像を画像蓄積配信サーバ１に要求する（ＳＴＥＰ２７０３，２７０４）。
【００５９】
画像蓄積配信サーバ１は、受信したカメラ番号の映像データをデータ格納メモリ１３から取得（録画映像の再生の場合はディスクインタフェース１５を介しディスク３から取得）し（ＳＴＥＰ２７０５，２７０６）、クライアントＰＣへ返信する（ＳＴＥＰ２７０７）。
【００６０】
クライアント端末６は、返信されてきた映像データを、画面に表示するメモリに書き込み、クライアント端末の画面に表示する（ＳＴＥＰ２７０８−２７１０）。そして、クライアント端末６は、表示している時間が設定時間より超えたと判断した場合（ＳＴＥＰ２７１２でＹＥＳ）、次に選択されているカメラ番号を取得し、ＳＴＥＰ２７０４へ戻って処理を続ける。以上の処理は、停止ボタンが押下されるまで繰り返して行われる（ＳＴＥＰ２７１１）。
【００６１】
続いて、４画面パターンのスキャンの処理が選択された場合の処理について図２８を用いて説明する。
まず、クライアント端末６は、スキャンするカメラの中から最初に選択されているパターン番号を取得し（ＳＴＥＰ２８０１）、映像更新をする左上側の画面をターゲット（ＳＴＥＰ２８０２）として処理を始める。クライアント端末は、４画面パターンの左上側に表示されている画面のカメラ番号を取得し（ＳＴＥＰ２８０３）、そのカメラ番号の映像取得を画像蓄積配信サーバ１に対して指示する（ＳＴＥＰ２８０４）。
【００６２】
画像蓄積配信サーバ１は、そのカメラ番号の映像データをデータ格納メモリ１３から取得（録画映像の再生の場合はディスクインタフェース１５を介しディスク３から取得）し（ＳＴＥＰ２８０５，２８０６）、クライアント端末へ返信する（ＳＴＥＰ２８０７）。
【００６３】
クライアント端末６は、返信されてきた映像データを、画面に表示するメモリの左上部に書き込み、クライアント端末の画面に表示する（ＳＴＥＰ２８０８−２８０９）。なお、その間に操作者によって1画面表示が選択された場合や停止ボタンが押された場合など
は（ステップ２８１０でＹＥＳ）、クライアント端末６は自動スキャンを終了する（ＳＴＥＰ２８１９）。
【００６４】
表示している時間が設定時間より超えた場合は（ＳＴＥＰ２８１１でＹＥＳ）、次に選択されているパターン番号を取得し（ＳＴＥＰ２８１２）、ＳＴＥＰ２８０２へ戻る。一方、続けて表示する場合は（ＳＴＥＰ２８１１でＮＯ）、映像表示部の左上側の処理が済むと続けて右上側、右下側、左下側の画面の処理を行う（ＳＴＥＰ２８１３−２８１８）。
【００６５】
次に、マルチ操作部３３の一括録画機能について、図１３を用いて説明する。
図１３は、本発明の一実施例に係る画像蓄積配信サーバ１に登録されているＷｅｂカメラ５を複数指定して手動録画の開始／停止操作を行う一括録画の設定画面である。図１３は、操作対象のＷｅｂカメラ５を選択するためのチェックボタン（カメラ番号が併せて表示される）、録画開始を行う一括録画ボタン、録画停止を行う停止ボタンを示している。図１３は、カメラ番号２、４、１０のＷｅｂカメラ５が選択されている状態を示しており、この状態で一括録画ボタンが押下されることで、カメラ番号２、４、１０のＷｅｂカメラ５の手動録画が開始される。なお、停止ボタンで録画停止するのは手動録画のみで、スケジュール録画、アラーム録画は停止しない。また、例えば、操作者によって停止ボタンが押下されて、他の操作者（ユーザ）により開始された手動録画も停止することも可能で
ある。なお、画像蓄積配信サーバ１へのログインに使用したユーザ名が録画権限をもたない場合には、この図１３の画面は非表示となるので、操作者は一括録画機能を使用できない。これにより、画像蓄積配信サーバ１にＷｅｂカメラ５の映像を不特定多数の者が勝手に記録し得る事態を抑制することができ、各操作者（ユーザ）はディスク装置３の記憶容量や記憶内容等の適切な管理を行うことができる。
【００６６】
以下に、一括録画の処理を図２９を用いて説明する。
一括録画の処理は、クライアント端末６の一括録画のタグで一括録画ボタンが押下された時に開始される（ＳＴＥＰ２９０１）。
【００６７】
まず、クライアント端末６は、選択されている画面に表示されている最初のカメラ番号を取得し、そのカメラ番号の映像を画像蓄積配信サーバに要求する（ＳＴＥＰ２９０２、２９０３）。
【００６８】
画像蓄積配信サーバ１は、受信したカメラ番号の録画処理を起動し録画処理が動作したら、クライアント端末６へ録画開始したことを示す情報を返信する（ＳＴＥＰ２９０４−２９０６）。
【００６９】
クライアント端末６は、画像蓄積配信サーバ１から情報が返信されてきたら（ＳＴＥＰ２９０７）、更に一括録画するカメラがあるか否かを確認して（ＳＴＥＰ２９０８）、ある場合はＳＴＥＰ２９０２に戻る。なお、ＳＴＥＰ２９０２−２９０８の処理は、一括録画しているカメラがなくなるまで行われる。
【００７０】
次に、マルチ操作部３３の映像表示設定機能について、図１４を用いて説明する。
図１４では、各Ｗｅｂカメラ５毎に設定可能なノーマルモード、アラームモードの２系統の映像入力に対して、どのような映像表示を行うかの設定を「アラーム非表示」ボタン、「アラーム優先」ボタン、「アラームのみ」ボタンにより行う。「アラーム非表示」選択時には、ノーマルモードの映像入力による映像のみを表示し、アラームモードの映像入力（アラーム録画）による映像を表示しない。「アラームのみ」選択時には、逆にアラームモードの映像入力による映像のみを表示し、ノーマルモードの映像入力による映像を表示しない。「アラーム優先」選択時には、アラームモードの映像入力による映像が無い場合にはノーマルモードの映像入力による映像を表示し、アラームモードの映像入力による映像がある場合にはそちらを優先表示する。
【００７１】
なお、図１４については、「アラーム非表示」が選択されている状態を示している。例えば、監視システムにおいては、外部センサの侵入者検知により記録が開始されるアラームモードの映像が重要であり、図１４のように、アラームモードを基準として命名されたボタン名、例えば、「アラーム非表示」ボタン、「アラーム優先」ボタン、「アラームのみ」ボタンを表示することは、クライアント端末６のユーザに対して重要な映像の選択を容易にする。
【００７２】
次に、マルチ操作部３３のカメラ操作機能について、図１５を用いて説明する。図１５は、画像蓄積配信サーバ１に登録されているＷｅｂカメラ５を操作するためのボタンを示す。図１５においては、カメラ番号１〜６のＷｅｂカメラ５を操作するためのボタンが表示されており、例えば、いずれかのボタンをマウスでクリックすると、別ウィンドウが立ち上がり、クライアント端末６は当該番号のＷｅｂカメラ５に接続し、パン・チルト等を行うカメラ操作画面が表示される。
【００７３】
次に、カメラ情報表示部３４について説明する。
図１６は本発明の一実施例に係るカメラ情報表示部の画面構成である。カメラ情報表示
部は、画像蓄積配信サーバ１に登録されているＷｅｂカメラ５のリストを表示する。カメラ情報リスト表示エリア１６１には、各Ｗｅｂカメラ５のカメラ名がリスト表示される。また各リストは各Ｗｅｂカメラが選択可能になっていて、リストから各Ｗｅｂカメラを選択することで前述したカメラ選択と同様、映像表示部３１に表示するＷｅｂカメラ５の選択を行うことができる。リスト表示されているＷｅｂカメラ５がノーマルモードの映像入力を持っている場合は、情報として画像蓄積配信サーバ１に保存されているノーマルモードの映像入力による映像の「期間」の欄に年月日が表示される。ノーマルモード（例えば、手動録画や、スケジュール録画）の映像入力を持っていない場合には"−"表示になる。リスト表示されているＷｅｂカメラ５がアラームモードの映像入力を持つ場合には、クライアント端末６は、情報としてアラームモードの映像入力の映像が画像蓄積配信サーバ１に保存されているか、または前回表示以降新しく保存されているのかを「アラーム」の欄に表示する。クライアント端末６は、操作者が各状態を区別するために、アラームモードの映像入力による映像が保存されていれば"あり"を表示し、新規保存されていれば"新着"を表示し、保存されていないまたはアラームモードの映像入力が無い場合には"−"を表示する。情報の更新は、例えば、後述する情報操作部３５のアラーム情報一覧表示画面の更新ボタンが押されことにより行われる。ヘルプボタン１６２は、本表示画面の機能のヘルプが表示させるボタンである。
【００７４】
以下に、新たに撮像された映像を操作者に知らせる処理について図３０を用いて説明する。
クライアント端末６で画像蓄積配信サーバ１の情報表示画面のメイン画面を表示するとき、または、情報操作部３５のアラーム一覧時の更新ボタン１８６を押下したとき処理が開始される（ＳＴＥＰ３００１）。
【００７５】
まず、クライアント端末６から画像蓄積配信サーバ１に対してアラーム録画の新着状態データを要求する（ＳＴＥＰ３００２）。画像蓄積配信サーバ１は、その要求を受信し、ユーザアカウントのうち、必要となるユーザ名を取得する（ＳＴＥＰ３００３、３００４）。なお、このユーザアカウントとは、クラアント端末６でログインしたときのユーザ情報やクラアント端末６の環境情報である。その中でもユーザ情報としては、ユーザ名、パスワード、利用権限、アクセス時刻等のデータがある。
【００７６】
次に、画像蓄積配信サーバ１のテーブル格納メモリに記録されているユーザ名と、最後にアクセスした時刻が記録されているデータとから、受信したユーザ名の最後にアクセスした時刻（当該ユーザが前回アクセスした時刻）と、カメラごとのアラーム録画した日時が記録されたデータ（以下では、アラーム録画日時一覧データと称する）とを取得する（ＳＴＥＰ３００５，３００６）。なお、この際、最後にアクセスした時刻を現在の時刻で更新しておく（ＳＴＥＰ３０２０）。画像蓄積配信サーバ１は、前回アクセス時刻とアラーム録画日時一覧データに基づいてクライアント端末６への返信データを作成し、返信する（ＳＴＥＰ３００７，３００８）。
【００７７】
クライアント端末６は、返信されてきたデータを受信し（ＳＴＥＰ３００９）、各カメラをチェックするカウンタjを0にする（ＳＴＥＰ３０１０）。次に、カメラjにおいて、
アラーム録画をするカメラか確認し、アラーム録画するカメラである場合は、受信したアラーム録画のデータがあるか確認する（ＳＴＥＰ３０１１，３０１２）。どちらの場合もアラームに関するデータが無ければ、アラーム欄に"-"を表示する（ＳＴＥＰ３０１５）
。
【００７８】
もし、アラームデータがあれば、更に、アクセスしたユーザの最後にアクセスした時刻より後の時刻に発生したアラームデータが存在するか否かを判定する。ある場合、アラーム欄に"新着"を、無い場合にはアラーム欄に"あり"を表示する（ＳＴＥＰ３０１３−３０
１６）。
【００７９】
カウンタjを1加算し（ＳＴＥＰ３０１７）、次のカメラにおいても同様のチェックをする（ＳＴＥＰ３０１２−３０１６）。全てのカメラがチェックされたら（ＳＴＥＰ３０１８でＹＥＳ）、処理が終了される（ＳＴＥＰ３０１９）。
【００８０】
なお、図３０に示した処理では、クライアント端末６は、ＳＴＥＰ３００８で画像蓄積配信サーバ１から受信した前回アクセス時刻とアラーム録画日時一覧データとに基づいて、ＳＴＥＰ３０１４において最後にアクセスした時刻より後の時刻に発生したアラームデータが存在するか否かを判定している。このように、ＳＴＥＰ３０１４の処理をクライアント端末６において実行する他、他の実施例として、画像蓄積配信サーバ１においてＳＴＥＰ３０１４に相当する判定処理を行うようにしてもよい。即ち、この場合、画像蓄積配信サーバ１は、前回アクセス時刻とアラーム録画日時一覧データとに基づいて最後にアクセスした時刻より後の時刻に発生したアラームデータが存在するか否かの判定を行い、上述した"新着"や"あり"を示すデータのみをクライアント端末６に送信する。このように、画像蓄積配信サーバ１からクライアント端末６に送信される"最後にアクセスした時間以
降にアラーム録画された映像が存在するか否かに関する情報"としては、前回アクセス時
刻とアラーム録画日時一覧データとが用いられても良く、また、"新着"や"あり"を示すデータ自体で用いられてもよく、また、これら以外の他の形式のデータが用いられてもよい。
【００８１】
次に、情報操作部３５について説明する。この情報操作部３５は、画像蓄積配信サーバ１に対する高度な操作を行う部位である。
まずは、情報操作部３５の日付指定ジャンプ機能について、図１７を用いて説明する。
【００８２】
図１７は、映像表示部３１に表示される映像に対して日時を指定したジャンプ操作（指定カメラ番号の当該日時の画像をディスク装置３より検索し表示する操作）を行うための画面例である。映像表示部３１が４画面表示状態の場合には選択されている画面及び選択されている画面に映像が表示されているＷｅｂカメラ５に対しての操作になる。
【００８３】
ここで、図１７に示すように、操作者は、情報操作部３５に表示する画面を画面選択エリア１７１の日付指定ジャンプ、アラーム一覧、ダウンロードから選択する。図１７は、日付指定ジャンプが選択されている状態を表わしている。カレンダー１７２は、フレームジャンプ先の日付指定を行うためのカレンダーであり、起動時にはデフォルトでシステム時刻の日付が選択された状態になる。図１７においては、２００３年１０月２４日が選択されている。時間指定コンボボックス１７３は、フレームジャンプ先の時間指定を行うためのコンボボックスであり、起動時にはデフォルトでシステム時刻の時間が選択された状態になる。ｊｕｍｐボタン１７４は、フレームジャンプを実行するためのボタンである。操作者によってｊｕｍｐボタン１７４がマウスで押下されれば、カレンダー１７２で指定した日付、コンボボックス１７３で指定した時間にフレームがジャンプする。ディスク装置３内に、操作対象となるＷｅｂカメラ５の指定した年月日時間分の映像が記録されていなかった場合には指定した年月日時間分に最も近いフレーム画像が選択され、表示される。ｊｕｍｐボタン１７４により、映像表示部３１に指定した画像が表示された後は、映像操作部３２を用いてその画像を初期画面とした映像の再生等を行うこともできる。
【００８４】
次に、情報操作部３５のアラーム情報一覧表示機能について、図１８及び図１９を用いて説明する。
図１８は、本発明の一実施例に係るアラーム情報一覧表示画面を示す図である。画像蓄積配信サーバ１に登録されたＷｅｂカメラ５がアラームモードの映像入力を持つ場合には、アラームモードの映像入力による映像の録画を行った情報をアラーム情報として画像蓄
積配信サーバ１に保存する。アラーム一覧表示では、カメラ毎のアラーム情報の一覧表示をリスト形式で行う。リスト表示対象になるアラーム情報は画像蓄積配信サーバに録画映像が存在するものだけで、アラーム録画の映像が消去、または上書きされた場合には対応するアラーム情報は表示されない。
【００８５】
一例として、アラーム情報のリスト表示は５０件単位で行い、画像蓄積配信サーバ１に保存されているアラーム情報が５０件以上ある場合には、表示範囲切替エリア１８２に、"前の５０件"や"次の５０件"ボタンが表示され、当該ボタンによる表示範囲の切替で目的のアラーム情報を探すことができる。アラーム情報が先頭からの５０件を表示しているときには、"前の５０件"ボタンは非表示になる。また、アラーム情報が末尾の５０件を表示しているときには"次の５０件"ボタンは非表示になる。つまり、サーバに保存されているアラーム情報が５０件未満の場合、"前の５０件"ボタンと"次の５０件"ボタンは共に非表示になる。
【００８６】
カメラ選択コンボボックス１８３は、アラーム情報の表示対象となるＷｅｂカメラ５の選択に用いるコンボボックスである。操作者は、アラーム情報表示対象カメラの選択において、マウス等でコンボボックスをドロップダウンして表示したいＷｅｂカメラ（図１８ではカメラ名称）を選択する。選択対象になるＷｅｂカメラ５はアラームモードの映像入力があるカメラのみである。
【００８７】
アラーム情報リスト１８４には、アラーム情報がリスト表示される。１件ごとのアラーム情報にはカメラ毎のアラーム情報ＩＤ、アラームモードの映像入力による映像保存開始日時、終了日時、およびアラーム発生フレームのサムネール映像が表示される。リストは選択可能で、例えば、起動時のデフォルトでは一番上のリストが選択状態になる。例えば、表示範囲の切替後も同様に一番上のリストが選択状態としてもよい。
【００８８】
操作者によってｊｕｍｐボタン１８５が押されることにより、フレーム位置は、アラーム情報リスト１８４で選択されているアラーム情報に対応するアラーム録画の先頭フレームにフレームジャンプ（当該フレーム画像をディスク装置３より検索し表示する操作）する。このときに、映像表示部３１が１画面表示状態の場合には、アラーム情報表示対象のＷｅｂカメラ５が選択されてから、クライアント端末６はフレームジャンプを行う。映像表示部３１が４画面表示状態の場合には映像表示部３１で選択されている画面にアラーム情報表示対象のＷｅｂカメラ５をカメラ選択してからフレームジャンプを行う。このときに、フレームジャンプの対象になるのはアラームモードの映像入力の録画で、設定で表示方式が"アラーム非表示"になっている場合には、フレーム位置はノーマルモードの映像録画の最も近いフレームに移動する。フレーム位置を正確なフレームに移動したい場合には、映像表示方式を映像設定画面（図１４）で"アラームのみ"に設定すれば良い。
【００８９】
更新ボタン１８６は、アラーム情報リストの更新処理を行うボタンである。現在アラーム情報の表示対象に選択されているＷｅｂカメラ５の最新のアラーム情報を取得し直して表示する。また、カメラ情報表示部３４のカメラ情報の更新処理も行う。
【００９０】
ここで、アラーム情報一覧表示画面の使い方の一例について、図１９を用いて説明する。
図１９に示すように、ステップ１として、アラーム情報リスト１８４から任意のアラーム情報を選択する。次に、ステップ２として、ｊｕｍｐボタン１８５が押下されることにより、フレーム位置は、アラーム情報リスト１８４で選択されているアラーム情報に対応する記録映像（アラーム録画）の先頭フレームにフレームジャンプする。即ち、選択したアラーム情報に対応する画像が映像表示部３１に表示されるため、ステップ３として当該アラーム情報の内容を確認することができる。このように、操作者（ユーザ）は簡単な操
作により、アラーム情報の内容を確認することができる。
【００９１】
ここで、図１９においては、映像表示部３１は４画面表示になっており、その左上の画面にアラーム録画による画像が表示されている状態である。この図１９の４画面表示の左上側の画面に示されるように、アラーム録画による画像を表示する際は、カメラ番号表示エリア５２やカメラ名称表示エリア５５等が存在する画面の最下欄がノーマルモードの録画による映像を表示する際とは区別できるような表示態様、例えば、最下欄の色が変わる、最下欄が点滅状態となるといった視覚的または聴覚的な手段を用いて操作者に認識される態様となる。
【００９２】
上述したように、例えば、監視システムにおいては、外部センサの侵入者検知により記録が開始されるアラームモードの映像が重要であるため、このように表示態様をノーマルモードの映像と異なる態様とすることで現在表示されている映像がアラームモードの映像であることをクライアント端末６のユーザに容易に認識させることができる。なお、図１９では、最下欄の表示態様を変化させるとしたが、画面のどの部分の表示態様を変化させても同様の効果が得られる。
【００９３】
次に、情報操作部３５のダウンロード機能について、図２０及び図２１を用いて説明する。
図２０は、本発明の一実施例に係るディスク装置３から映像のダウンロードを行う画面を示す図である。このダウンロード機能により、ディスク装置３に保存されている映像をクライアント端末６側にローカルディスクに保存すること（ダウンロード）が可能となる。図２０は、そのための設定を行う画面である。一例として、ダウンロード画面は、映像表示部３１が１画面表示の時にのみ表示されてもよい。
【００９４】
また、ダウンロード画面に移行する際には映像表示部３１が自動的で１画面表示に切り替わるような構成を用いることも可能である。また、ダウンロード画面表示中に４画面表示に切り替えた場合には、ダウンロード画面を終了し、上述した日付指定ジャンプ画面に切り替わるような構成とすることも可能である。
【００９５】
図２０において、始点指定エリア２０５は、ダウンロード対象範囲の始点を指定するための設定エリアである。操作者によって始点指定エリア２０５の「入力」ボタンが押下されることで、映像表示部３１で現在表示している映像の映像時間を始点として設定することができる。始点指定エリア２０５のｊｕｍｐボタンを押下することで、フレーム位置を現在始点に指定されている年月日時分秒にフレームジャンプすることができる。
【００９６】
終点指定エリア２０６は、ダウンロード対象範囲の終点を指定するための設定エリアである。ボタン操作は始点指定と同様であるため説明は省略する。保存先指定ボタン２０７は、ダウンロード映像の保存先のローカルフォルダを指定するためのボタンである。操作者によって保存先指定ボタンである「参照」ボタンが押下されることで、ローカルフォルダ指定ダイアログが表示される。ダウンロードボタン２０８は、ダウンロードを実行するためのボタンである。映像のダウンロードを行う対象のＷｅｂカメラ５は、映像表示部３１で現在表示対象になっているカメラである。ダウンロード対象カメラにノーマルモードの映像入力、アラームモードの映像入力のどちらか１系統が設定されている場合と両方の２系統が設定されている場合のクライアント端末の動作は、例えば、図１４の映像表示画面で設定されている表示方式による。設定が「アラーム非表示」である場合には、ノーマルモードの映像入力の映像がダウンロードされる。設定が「アラームのみ」である場合には、アラームモードの映像入力の映像がダウンロードされる。例えば、設定が「アラーム優先」になっている場合や、アラーム非表示になっていてＷｅｂカメラ５にアラームモードの映像入力しか設定されていない場合や、アラームのみになっていてカメラにノーマル
モードの映像入力しか設定されていない場合は、映像はダウンロードされない。
【００９７】
ここで、上述したダウンロードを行う画面の使い方の一例について、図２１を用いて説明する。図２１に示すように、ステップ１として、ｊｕｍｐボタン１７４を押下することにより、フレーム位置はカレンダー１７２及び時間指定コンボボックス１７３により指定された画像へフレームジャンプする。即ち、指定した日時分に対応する画像が映像表示部３１に表示され、ステップ２として操作者は当該指定した日時分の映像を確認することができる。次に、ステップ２で確認した映像の内容で良いと操作者が判断できる場合には、ステップ３として操作者によって始点指定エリア２０５の「入力」ボタンが押下されることで、クライアント端末は映像表示部３１で現在表示している映像の映像時間を始点として設定することができる。同様に、終点を設定した後、ステップ４として操作者はダウンロードボタン２０８を押下することにより、ディスク装置３から目的の映像を簡単な操作によりダウンロードできる。
【００９８】
なお、上記の例では、例えば、１つのモニタの表示画面上において、４分割画面表示を行うような態様としていたが、本発明はこれに限られず、例えば、上記４画面表示パターンで設定した４つの映像を４台のモニタに対してそれぞれに１つずつ表示するような態様が用いられてもよい。
【００９９】
ここで、本発明に係る映像蓄積配信システムや映像配信装置などの構成としては、必ずしも以上に示したものに限られず、種々な構成が用いられてもよい。なお、本発明は、例えば本発明に係る処理を実行する方法或いは方式を実現するためのプログラムなどとして提供することも可能であり、また、例えば映像表示装置などの種々な装置やシステムとして提供することも可能である。
【０１００】
また、本発明の適用分野としては、必ずしも以上に示したものに限られず、本発明は、種々な分野に適用することが可能なものである。上記の実施形態においては、監視システムのカメラによって発生した映像を例に説明を行ったが、本発明の適用分野としては、これに限られるものではない。例えば、映画やテレビ番組に関する映像を取り扱うといったことも可能である。
【０１０１】
また、本発明に係る映像蓄積配信システムや映像配信装置やクライアント端末などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
【０１０２】
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【０１０３】
上記記載は実施例についてなされたが、本発明はそれに限らず、本発明の精神と添付の請求の範囲の範囲内で種々の変更および修正をすることができることは当業者には明らかである。
【図面の簡単な説明】
【０１０４】
【図１】本発明の一実施例に係る画像蓄積配信システムの全体構成を示す図である。
【図２】本発明の一実施例に係る画像蓄積配信サーバの構成を示す図である。
【図３】本発明の一実施例に映像表示画面の一例を示す図である。
【図４】本発明の一実施例に係るログイン画面の一例を示す図である。
【図５】本発明の一実施例に係る映像表示画面の詳細を説明するための図である。
【図６】本発明の一実施例に係る複号化設定画面の一例を示す図である。
【図７】本発明の一実施例に係る映像表示画面の映像操作部を説明するための図である。
【図８】本発明の一実施例に係る映像表示画面のカメラ選択機能を説明するための図である。
【図９】本発明の一実施例に係る映像表示画面の４画面パターン選択機能を説明するための図である。
【図１０】本発明の一実施例に係る４画面パターンの登録画面の一例を示す図である。
【図１１】本発明の一実施例に係る映像表示画面のカメラ切り換え機能を説明するための図である。
【図１２】本発明の一実施例に係る画像蓄積配信サーバが管理しているテーブルの一例を示す図である。
【図１３】本発明の一実施例に係る映像表示画面の一括録画機能を説明するための図である。
【図１４】本発明の一実施例に係る映像表示画面の映像表示設定機能を説明するための図である。
【図１５】本発明の一実施例に係る映像表示画面のカメラ操作機能を説明するための図である。
【図１６】本発明の一実施例に係る映像表示画面に表示される映像情報の一例を示す図である。
【図１７】本発明の一実施例に係る映像表示画面の映像検索機能を説明するための図である。
【図１８】本発明の一実施例に係る映像表示画面のアラーム情報一覧表示の一例を示す図である。
【図１９】本発明の一実施例に係る映像表示画面のアラーム情報一覧表示の使い方の一例を説明するための図である。
【図２０】本発明の一実施例に係る映像表示画面のダウンロード機能を説明するための図である。
【図２１】本発明の一実施例に係る映像表示画面のダウンロード機能を説明するための図である。
【図２２】本発明の一実施例に係る映像表示処理の一例を示す図である。
【図２３】本発明の一実施例に係る映像表示処理の４画面パターンの表示処理の一例を示す図である。
【図２４】本発明の一実施例に係る映像表示処理の４画面パターンデータの取得処理の一例を示す図である。
【図２５】本発明の一実施例に係る映像表示処理の４画面パターンデータの取得処理の一例を示す図である。
【図２６】本発明の一実施例に係る映像表示処理の４画面パターンの選択画面表示処理の一例を示す図である。
【図２７】本発明の一実施例に係る映像表示処理の自動スキャン処理の一例を示す図である。
【図２８】本発明の一実施例に係る映像処理装置の自動スキャン処理に一例を示す図である。
【図２９】本発明の一実施例に係る映像処理装置の一括録画処理の一例を示す図である。
【図３０】本発明の一実施例に係る映像処理装置のアラーム録画新着表示処理の一例を示す図である。
【図１】
2008017529.tif 000003
【図２】
2008017529.tif 000004
【図３】
2008017529.tif 000005
【図４】
2008017529.tif 000006
【図５】
2008017529.tif 000007
【図６】
2008017529.tif 000008
【図７】
2008017529.tif 000009
【図８】
2008017529.tif 000010
【図９】
2008017529.tif 000011
【図１０】
2008017529.tif 000012
【図１１】
2008017529.tif 000013
【図１２】
2008017529.tif 000014
【図１３】
2008017529.tif 000015
【図１４】
2008017529.tif 000016
【図１５】
2008017529.tif 000017
【図１６】
2008017529.tif 000018
【図１７】
2008017529.tif 000019
【図１８】
2008017529.tif 000020
【図１９】
2008017529.tif 000021
【図２０】
2008017529.tif 000022
【図２１】
2008017529.tif 000023
【図２２】
2008017529.tif 000024
【図２３】
2008017529.tif 000025
【図２４】
2008017529.tif 000026
【図２５】
2008017529.tif 000027
【図２６】
2008017529.tif 000028
【図２７】
2008017529.tif 000029
【図２８】
2008017529.tif 000030
【図２９】
2008017529.tif 000031
【図３０】
2008017529.tif 000032